(57)【要約】【課題】家電機器に接触して通信する端末を用いて家電機器を制御し、家電機器がネットワークに接続できるようにする家電機器、家電機器システム、及びその制御方法を提供すること。【解決手段】本発明は、近距離無線通信（ＮＦＣ）を用いて端末と家電機器との間でデータを送受信して家電機器の情報確認をし、一回の接触によって洗濯機情報を登録すると共に、家電機器がネットワークに接続されるように設定しネットワークを用いた家電機器の管理を可能にする。【選択図】図２
2014200692.tif 000002
【特許請求の範囲】
【請求項１】
運転設定及び動作状態を出力する表示部と、
近距離無線通信（ＮＦＣ）を遂行するタグ部と、
ネットワークに接続してデータを送受信する通信部と、
前記タグ部に製品情報を記憶し、前記タグ部に記憶されたデータを受信して動作設定を変更し、動作を制御して変更された動作状態を前記表示部に出力する制御部と、を備え、
前記制御部は、
端末によって前記タグ部にネットワーク接続情報が記憶されたか否かを判断し、
前記ネットワーク接続情報を前記通信部に設定して前記通信部を通じてのデータ通信を可能にし、
前記通信部を通じてデータを送受信することを特徴とする、家電機器。
【請求項２】
前記タグ部は、
前記製品情報及び前記ネットワーク接続情報が記憶されるタグ記憶部と、
所定距離内に近接又は接触する前記端末を認識してデータを送受信する送受信部と、
を含むことを特徴とする、請求項１に記載の家電機器。
【請求項３】
前記制御部は、
前記ネットワーク接続情報に従って前記ネットワークに正常接続されたとき、前記表示部に接続状態を表示し、
前記ネットワークに接続されないとき、エラーを出力することを特徴とする、請求項１に記載の家電機器。
【請求項４】
前記制御部は、
前記通信部を通じて前記ネットワークに接続されたとき、前記端末又は外部のサーバから受信される要求によって家電機器のデータが転送されるようにし、
受信される制御命令によって動作を制御することを特徴とする、請求項１に記載の家電機器。
【請求項５】
前記制御部は、
電源投入時に、前記タグ部の状態を確認して新たなデータを受信し、
前記新たなデータに対応してネットワーク接続情報又は制御プログラムを更新し、前
記新たなデータによって動作を制御することを特徴とする、請求項１に記載の家電機器。
【請求項６】
前記タグ部は、前記家電機器の電源が切断された状態で前記端末が前記タグ部に接触したとき、前記端末から受信されるデータを前記タグ記憶部に記憶することを特徴とする、請求項２に記載の家電機器。
【請求項７】
前記タグ部は、前記家電機器から脱着可能に構成されることを特徴とする、請求項２に記載の家電機器。
【請求項８】
近距離無線通信機能を有する端末と、
複数の家電機器に対するデータを記憶し管理するサーバと、
近距離無線通信のためのタグ部を含み、前記タグ部に製品情報を記憶し、前記端末によって前記タグ部に記憶されるネットワーク接続情報によって所定のネットワークに接続する家電機器と、を備え、
前記端末は、
前記タグ部が接触したとき、前記タグ部に記憶された前記製品情報を受信し、
前記ネットワーク接続情報を前記タグ部に記憶し、
前記家電機器に対する前記製品情報に対応して前記家電機器を前記サーバに登録することを特徴とする、家電機器システム。
【請求項９】
前記端末は、
一回の前記タグ部の接触によって短時間に前記製品情報を受信し、
前記ネットワーク接続情報を前記タグ部に記憶することを特徴とする、請求項８に記載の家電機器システム。
【請求項１０】
前記端末は、前記家電機器を制御するためのアプリケーションを有し、
前記アプリケーションが実行されたとき、登録された製品の存否によって前記近距離通信モジュールを通じて製品登録を遂行することを特徴とする、請求項８に記載の家電機器システム。
【請求項１１】
前記端末は、
製品登録時に、接続可能なネットワークを探索した後に接続して前記ネットワーク接続情報を記憶し、
前記タグ部接触に対する案内を出力して前記タグ部が認識されたとき、前記ネットワーク接続情報を前記タグ部に記憶することを特徴とする、請求項１０に記載の家電機器システム。
【請求項１２】
前記端末は、前記家電機器の製品情報を前記サーバ接続のためのＩＤと照合して、前記サーバに前記家電機器を登録することを特徴とする、請求項８に記載の家電機器システム。
【請求項１３】
前記端末は、前記家電機器が登録されたとき、前記ＩＤと照合された前記家電機器の情報を受信して表示することを特徴とする、請求項１２に記載の家電機器システム。
【請求項１４】
端末に制御する家電機器に対する登録が必要な場合、前記家電機器に対する製品登録を始めるステップと、
接続可能なネットワーク情報を収集してネットワーク接続情報を記憶するステップと、
前記家電機器のタグ部と接触したとき、近距離無線通信を用いて前記タグ部に記憶された前記家電機器の製品情報を受信し、前記ネットワーク接続情報を前記タグ部に記憶するステップと、
タグ接触を解除し、前記製品情報をＩＤに照合してサーバに登録するステップと、
を有することを特徴とする、家電機器システムの制御方法。
【請求項１５】
前記ネットワーク接続情報の記憶時に、接続可能なネットワーク情報を収集していずれか１つのネットワークに接続し、接続されたネットワークに対して前記ネットワーク接続情報を記憶するステップと、
近距離無線通信を用いたタグ方法を表示するステップと、を更に含むことを特徴とする、請求項１４に記載の家電機器システムの制御方法。
【請求項１６】
前記サーバの応答によって製品登録を完了し、前記ＩＤに照合された前記家電機器のデータを受信して表示するステップを更に含むことを特徴とする、請求項１４に記載の家電機器システムの制御方法。
【請求項１７】
備えられる近距離無線通信のためのタグ部の状態を確認して前記タグ部に記憶されたネットワーク接続情報を受信するステップと、
前記ネットワーク接続情報に従って所定のネットワークに接続するステップと、
前記ネットワークに正常接続されたとき、サーバに接続してデータを転送し、登録を確認するステップと、
登録されたＩＤの端末に家電機器の動作及び状態に対するデータを転送し、前記端末から受信されるデータに対応して動作を制御するステップと、
を有することを特徴とする、家電機器の制御方法。
【請求項１８】
前記ネットワーク接続情報は、前記端末から前記近距離無線通信を通じて前記タグ部に記憶されたことを特徴とする、請求項１７に記載の家電機器の制御方法。
【請求項１９】
前記ネットワークに正常接続されたとき接続状態を表示し、
接続に異常がある場合、エラーを表示するステップを更に含むことを特徴とする、請求項１７に記載の家電機器の制御方法。
【請求項２０】
前記タグ部に製品情報を記憶するステップを更に含むことを特徴とする、請求項１７に記載の家電機器の制御方法。
【発明の詳細な説明】
【技術分野】
【０００１】
本発明は、家電機器、家電機器システム、及びその制御方法に関し、端末とのデータ送受信を通じて家電機器の通信設定を変更し制御する家電機器、家電機器システム、及びその制御方法に関する。
【背景技術】
【０００２】
一般的に、洗濯物処理機器は、洗濯機、乾燥器、及び乾燥兼用洗濯機などを含む。
【０００３】
洗濯機は、水及び洗剤並びに機械的な作用を用いて、衣服、寝具などの洗濯物に付いている汚れ物質が除去されるように洗濯、すすぎ、脱水などの過程を遂行する装置である。このような洗濯機は、洗濯物が入れられたドラムが垂直軸を中心に回転するトップロード方式と、水平軸を中心に回転するフロントロード方式とに区分される。
【０００４】
乾燥器は被乾燥物に温風を加えて乾燥させる装置であって、回転するドラム内に被乾燥物を投入し、ドラム内に温風又は冷風を加えて乾燥させる装置である。
【０００５】
乾燥兼用洗濯機は、洗濯機能と乾燥機能とを共に備えたものであって、回転するドラム内に衣類などの洗濯物を投入し、所望の機能を選択して洗濯又は乾燥を遂行する装置である。
【０００６】
最近、家庭内でインターネットの使用が一般化するにつれて、ネットワークを用いる家電機器の重要性が増加している。しかしながら、インターネット接続のためにはそれに伴う接続設定が必要であるが、すべての家電機器にキーボード又はそれと類似の入力装置を備えることはできないため、より便利に家電機器をネットワークに接続する方法が求められている。
【発明の概要】
【発明が解決しようとする課題】
【０００７】
本発明の目的は、家電機器に接触して通信する端末を用いて家電機器を制御するだけでなく、家電機器を容易にネットワークに接続できるように設定を変更する家電機器、家電機器システム、及びその制御方法を提供することにある。
【課題を解決するための手段】
【０００８】
本発明に従う家電機器は、運転設定及び動作状態を出力する表示部、近距離無線通信（ＮＦＣ）を遂行するタグ部と、タグ部に製品情報を記憶し、タグ部に記憶されたデータを受信して家電機器の設定を変更し、動作を制御して表示部に出力する制御部とを含み、制御部は端末によってタグ部にネットワーク接続情報が記憶されたか否かを判断し、ネットワーク接続情報を通信部に設定して通信部を通じてのデータ通信を可能にし、通信部を通じてデータを送受信することを特徴とする。
【０００９】
また、本発明の家電機器システムは、近距離無線通信機能が備えられた端末、複数の家電機器に対するデータを記憶し管理するサーバと、近距離無線通信のためのタグ部が備えられ、タグ部に製品情報を記憶し、端末によってタグ部に記憶されるネットワーク接続情報によって所定のネットワークに接続する家電機器とを含み、端末はタグ部が接触したとき、タグ部に記憶された製品情報を受信し、ネットワーク接続情報をタグ部に記憶し、製品情報に対応して家電機器をサーバに登録することを特徴とする。
【００１０】
本発明の家電機器システムの制御方法は、端末に制御する家電機器に対する登録が必要な場合、家電機器に対する製品登録を始めるステップと、接続可能なネットワーク情報を収集してネットワーク接続情報を記憶するステップと、家電機器のタグ部が接触したとき、近距離無線通信を用いてタグ部に記憶された家電機器の製品情報を受信し、接続情報をタグ部に記憶するステップと、タグ接触を解除し、製品情報をＩＤに照合してサーバに登録するステップとを含む。
【００１１】
また、本発明に従う家電機器の制御方法は、備えられた近距離無線通信のためのタグ部の状態を確認してタグ部に記憶されたネットワーク接続情報を受信するステップと、ネットワーク接続情報によって所定のネットワークに接続するステップと、ネットワークに正常接続されたとき、サーバに接続してデータを転送し、登録を確認するステップと、登録されたＩＤの端末に状態データを転送し、端末から受信されるデータに対応して動作を制御するステップとを含む。
【発明の効果】
【００１２】
上記のように構成される本発明に従う家電機器、家電機器システム、及びその制御方法は、近距離無線通信（ＮＦＣ）を用いて端末と家電機器との間でデータを送受信することができるため、家電機器の情報確認が容易である。また、一回の接触によって家電機器の設定を変更することができ、複雑なキー操作なしで家電機器を容易に制御し、家電機器がネットワークに接続されるように設定することができるため、ネットワークを用いた家電機器の管理が可能であり、それに従うユーザの便宜性が向上する効果がある。
【図面の簡単な説明】
【００１３】
【図１】本発明の一実施形態に従う家電機器及び端末から構成される家電機器システムの構成を示す図である。
【図２】本発明の一実施形態に従う家電機器、端末、及びサーバから構成される家電機器システムの構成を示す図である。
【図３】本発明の一実施形態に従う端末と家電機器との接触を通じての通信の例を示す例示図である。
【図４】本発明の一実施形態に従う家電機器の構成を示すブロック図である。
【図５】本発明の一実施形態に従う端末の構成を示すブロック図である。
【図６】本発明の一実施形態に従う端末の家電機器との通信方法を説明するための端末画面の例示図である。
【図７】本発明の一実施形態に従う端末の家電機器との通信方法を説明するための端末画面の例示図である。
【図８】本発明の一実施形態に従う端末の家電機器との通信方法を説明するための端末画面の例示図である。
【図９】本発明の一実施形態に従う端末の家電機器との通信方法を説明するための端末画面の例示図である。
【図１０】本発明の一実施形態に従う端末の家電機器との通信方法を説明するための端末画面の例示図である。
【図１１】本発明に従う家電機器、端末、サーバの間のデータの流れを示すフローチャートである。
【図１２】本発明の端末の動作方法を示すフローチャートである。
【図１３】本発明の家電機器の制御方法を示すフローチャートである。
【発明を実施するための形態】
【００１４】
以下、添付の図面を参照して本発明の実施形態を説明すれば、次の通りである。
【００１５】
図１は本発明の一実施形態に従う家電機器及び端末から構成される家電機器システムの構成を示す図であり、図２は本発明の一実施形態に従う家電機器、端末、及びサーバから構成される家電機器システムの構成を示す図である。
【００１６】
図１を参照すると、本発明は、家電機器１と、近距離無線通信（ＮＦＣ：Near Field Communication）を用いて家電機器と通信する端末２とを含む。また、図２に示すように、家電機器１及び端末２と通信するサーバ３を更に含む。
【００１７】
家電機器１は、家電機器の製品に対する情報、運転状態及び故障情報を含むデータが記憶され、端末２との近距離無線通信によってデータを送受信するタグ部１４を含む。この際、タグ部１４は端末２がタグ部１４に接触されるか、又は所定距離以下に接近する場合、相互データを送受信する。場合によって、タグ部１４は家電機器１から着脱可能に構成できる。
【００１８】
また、家電機器１は家電機器の運転状態及び運転設定に対する各種の情報が表示される表示部１２、運転設定を入力する入力部１３、衣類などの洗濯物を洗濯機の内部に投入するドア１１を含む。
【００１９】
表示部１２は、ＬＣＤ、ＬＥＤで構成することができ、場合によってタッチスクリーンで構成できるが、これに限定するものではない。また、入力部１３は１つ以上のボタン又はスイッチを含み、タッチ操作によってデータが入力されるタッチパッドを備えてもよく、表示部がタッチスクリーンで構成される場合、タッチスクリーンは入力部として機能する。
【００２０】
家電機器、例えば洗濯機１は、外観を形成するケース内に回転可能に備えられて衣類などの洗濯物を収容するドラムを含み、ドラムの内周面にはリフタが備えられて、ドラムが回転するにつれて衣類を持ち上げてから落として洗濯物の異物の除去が容易であるように構成される。その他、洗濯機１は、給水、排水、動作状態を感知する複数のセンサなどを更に含むが、それに対する構成は省略する。
【００２１】
端末２は、家電機器１のタグ部１４と、近距離無線通信（ＮＦＣ）によってデータを送受信するための通信モジュールと、入力部と、表示部とを含み、家電機器に特定データを転送し、家電機器のデータを表示する。
【００２２】
端末２は、通信モジュールを通じて家電機器のタグ部１４に接触して家電機器のデータを受信し、端末に記憶されたデータをタグ部に記録する。この際、端末２は家電機器１のタグ部に一回の接触によってデータの受信及び送信が可能である。ここで、接触は端末とタグ部との物理的な接触だけでなく、物理的に接触しなくても、所定距離以内に近接したとき、相互機器を認識してデータを送受信する場合を含む。
【００２３】
端末２は、家電機器１とデータとを送受信し制御するアプリケーションを有し、アプリケーションを実行して、タグ部１４との接触を通じて受信される家電機器１の情報を表示し、家電機器を制御し、家電機器の故障の有無を診断する。
【００２４】
この際、端末２はアプリケーションの実行時に、サーバ３に接続し、サーバ接続用ＩＤ（Network Identifier）に家電機器１の情報を照合してサーバ３に登録することによって、ネットワークを介して家電機器１を監視し制御する。
【００２５】
サーバ３は、ＩＤに照合された家電機器の情報が記憶されるデータベースを含み、家電機器がネットワークに接続されたとき、家電機器から情報を収集及び記憶する。この際、サーバ３は端末２を通じて家電機器情報を登録して記憶し、家電機器がネットワークに接続されない場合、端末２との接続を通じて家電機器の情報を収集及び記憶する。
【００２６】
また、サーバ３は家電機器に対する故障診断が端末２で行われる場合、故障診断に対するデータを記憶し、端末２の要求によって故障診断に従う追加データを提供することができる。
【００２７】
図３は、本発明の一実施形態に従う端末と家電機器との接触を通じての通信の例を示す例示図である。
【００２８】
図３を参照すると、ユーザは端末２を家電機器１のタグ部１４に接触することによって、家電機器１の情報を端末によって確認することができる。
【００２９】
端末２は家電機器１のタグ部１４に一定距離まで接近して、所定時間以上維持されたとき、家電機器のタグ部に記憶されたデータを受信し、同時に家電機器に対する設定データはタグ部に転送してタグ部に記憶される。
【００３０】
この際、端末２の表示部画面４５１には家電機器とのデータ送受信のために所定時間接触状態が維持されるように案内が表示される。案内は文字又は画像で表示してもよいし、また同時に音声で出力してもよい。
【００３１】
データ送受信が完了したとき、端末２は通信完了に従う案内を画面に表示してもよいし、それに対応する所定の効果音をスピーカーを介して出力してもよい。
【００３２】
図４は、本発明の一実施形態に従う家電機器の構成が図示されたブロック図である。
【００３３】
図４を参照すると、家電機器、以下、洗濯機１は前述したように、タグ部１４０、１４、通信部１７０、メモリ１２０、表示部１３０、１２、入力部１５０、１３、駆動制御部１６０、そして動作の全般を制御する制御部１１０を含む。
【００３４】
また、洗濯機１は複数のセンサを含んで洗濯機の状態を感知する感知部（図示せず）、電源部（図示せず）のような構成を更に含むが、その他の構成は省略する。この際、感知部は、温度、圧力、電圧、電流、水位、回転数などを感知するセンサを含んで、感知又は測定されるデータを制御部１１０に印加する。例えば、感知部は洗濯物処理機器で給水又は排水時、水の水位を測定し、給水された水の温度、洗濯槽又はドラムの回転速度などを測定する。
【００３５】
駆動制御部１６０は、制御部１１０から印加される制御信号に対応して、洗濯機１が設定された動作を遂行するようにその駆動を制御する。それによって、洗濯機１は洗濯動作、すすぎ動作、脱水動作のような一連の動作を遂行して洗濯物の汚れを除去する。
【００３６】
駆動制御部１６０は、制御部１１０の制御命令によって、ドラムを回転動作させるモータを制御し、洗濯機に備えられる各種バルブの開閉を制御し、排水ポンプの動作を制御する。この際、駆動制御部１６０は、モータ制御部、ポンプ制御部のように、各々の構成に応じて別個に区分して洗濯機を制御することができる。
【００３７】
メモリ１２０には、洗濯機の動作制御のための制御データ、洗濯機コース又はプログラムに従う動作データ、入力部１５０を通じて入力された設定データ、表示部１３０の画面に表示される情報が記憶されるインタフェースデータ、そして洗濯機の動作中に感知される測定データ、及び異常発生時の動作に対する故障データが記憶される。
【００３８】
また、メモリ１２０にはタグ部１４０を通じて端末２から入力されるデータと、サーバ接続のための接続データとが記憶され、サーバ３と接続されたとき、サーバ３から送受信されるデータが記憶される。
【００３９】
この際、メモリ１２０は１つ以上の磁気ディスク記憶装置、フラッシュメモリ装置、又はその他の不揮発性半導体メモリ装置などの不揮発性メモリを含むことができる。例えば、メモリ１２０は電子的消去可能プログラム可能ＲＯＭ（ＥＥＰＲＯＭ）を含むことができる。ＥＥＰＲＯＭは、制御部１１０によって情報の書込及び消去が行われる。ＥＥＰＲＯＭは、電源が切断されて電力供給が停止したときでも、内部に記憶されている情報が消去されず、維持される記憶デバイスである。
【００４０】
入力部１５０は、ユーザ操作によって所定の信号又はデータを洗濯機に入力する入力手段が少なくとも１つ備えられて、洗濯機の動作によって、運転コース、運転設定のようなデータの入力を受けて制御部１１０に印加する。
【００４１】
入力部１５０は、ボタン、ドームスイッチ（dome switch）、タッチパッド（静電容量式／抵抗式）、ジョグホイール、ジョグスイッチ、マウス、ロータリスイッチ、ジョグダイヤルなどで構成することができ、押圧、回転、圧力、接触などの操作によって所定の入力データを発生する装置であれば、いずれも適用可能である。
【００４２】
表示部１３０は、制御部１１０の制御命令に対応して、入力部１５０によって入力される情報、洗濯機の動作情報、及び状態情報を表示する。表示部１３０は、制御部１１０の制御命令に対応して端末２とのタグ接触時に、接続状態を表示することができ、設定された接続情報によって洗濯機がネットワークに接続されたとき、接続状態を表示することができる。
【００４３】
このような表示部１３０はＬＥＤ、ＬＣＤ、有機ＥＬのような形態の発光体であって、洗濯機１の状態情報、又は故障情報を可視化して表示する。この際、表示部１３０は洗濯機の情報を文字、イメージ、数字、特殊文字のうち、少なくとも１つの形態に表示する。
【００４４】
また、洗濯機１は表示部１３０の他にも点灯又は点滅するランプ、振動素子、スピーカなどの出力手段を更に含む。
【００４５】
通信部１７０は、有線又は無線の通信モジュールを少なくとも１つ備え、接続設定によってネットワークに接続してデータを送受信する。通信部１７０は、ネットワーク接続時に、サーバ３との間でデータを送受信し、端末２の要求によって洗濯機のデータを転送することができる。この際、通信部１７０はサーバとの接続時に、洗濯機の固有情報に基づいて接続し、端末２と接続されたとき、ＩＤを用いたユーザ認証を通じてデータを送受信することができる。
【００４６】
制御部１１０は、入力部１５０及び表示部１３０によるデータの入出力を制御し、メモリ１２０のデータを管理し、通信部１７０及びタグ部１４０によるデータ送受信を制御する。
【００４７】
制御部１１０はタグ部１４０に洗濯機のデータを記憶し、タグ部１４０に記録されたデータを呼び出して洗濯機の設定を変更し制御する。制御部１１０は、タグ部１４０の状態を確認してデータを読み取り又は書き込みする。
【００４８】
制御部１１０はタグ部１４０のフラグ設定によって端末２と接続中か否かを確認し、新たなデータの存否を判断する。制御部１１０は、タグ部のヘッダデータを読み取ってフラグ設定に応じて、端末２と接続されているか否か、データの状態を確認することができる。
【００４９】
制御部１１０は、タグ部が待機状態の場合、タグ部に記憶されたデータを読み取った後、タグ部の状態を再設定し、洗濯機データが生成された場合、これをタグ部に記憶する。例えば、洗濯機のエラー発生時に、それに応じた診断データをタグ部に記録する。
【００５０】
タグ部１４０は、データが記憶されるタグ記憶部１４２と、端末２、又は制御部１１０との間のデータ転送を遂行する送受信部１４４とを含む。
【００５１】
タグ部１４０は、近距離無線通信方式によって、端末２との単純接触（タグ動作）によって作動することができ、データを所望の通り処理して送受信することができる。近距離無線通信は多様な機器間で通信が可能であり、近距離無線通信モジュールを含むすべての端末機がデータ規格に適合しているときは、データ同期化が可能である。近距離無線通信は、一般的に１０ｃｍ未満の通信距離内で通信を遂行することができる。近距離無線通信は通信距離が短く、個人情報の流出のおそれが少ない。タグ部１４０は、近距離無線通信機能が起動されたとき、タグが付けられた機器からデータを読み取り又は書き込むことができる。
【００５２】
タグ部１４０は、端末２の接触時に、フラグを設定して端末と接触中であることを表し、新たなデータが存在する場合にも、それに従うフラグを設定してデータ状態を表示する。
【００５３】
タグ記憶部１４２には、端末２から受信されて記録されたデータと、制御部１１０によって記録された洗濯機データとが各々区分されて記憶される。例えば、タグ記憶部１４２には端末２による洗濯機設定を変更するための設定データと、動作を制御するための動作制御データとを記憶することができ、洗濯機の運転時に、感知されたデータの組合によって洗濯機の動作状態を診断するための診断データ、又は診断結果データを記憶することができ、また現在の洗濯機の動作状態に対するデータを記憶できる。
【００５４】
また、タグ記憶部１４２には洗濯機１の固有情報及びモデル情報が記憶される。この際、モデル情報は洗濯機の製造会社、洗濯機のモデル名、及び洗濯機の通信の可否などを含むことができる。ここで、端末２はタグ記憶部１４２に記憶された洗濯機のモデル情報及び固有情報を受信して洗濯機を区分し、該当の洗濯機をサーバ３に登録する。
【００５５】
送受信部１４４は、端末２が接触したとき、タグ記憶部１４２に記憶されたデータを転送するか、又は受信されるデータがタグ記憶部１４２に記憶されるようにする。この際、送受信部１４４は近距離無線通信（ＮＦＣ）方式によって端末２と通信する。
【００５６】
タグ部１４０は、洗濯機１の電源が切断されて動作しない場合にも洗濯機とは別に動作することができ、場合によって洗濯機１から脱着可能に構成できる。
【００５７】
この際、洗濯機の電源が切断された状態でタグ部１４０に端末２が接触した場合、タグ部１４０は予め記憶されたデータを端末２に転送するだけでなく、端末２からデータを受信することができ、新たなデータの存在をフラグで表示する。
【００５８】
制御部１１０は、電源が投入され、洗濯機の動作が始まったとき、タグ部１４０の状態を確認して電源切断状態で記録されたタグ部１４０のデータを受信し、それに従って設定を変更するか、又は動作を遂行する。
【００５９】
制御部１１０は、タグ部１４０に記録されたデータに基づいて洗濯機を制御するか、又は特定データをタグ部１４０に記憶し、特にタグ部１４０に記憶されたデータがネットワーク接続情報の場合、これをメモリ１２０に記憶し、通信部１７０にネットワーク接続情報を印加して、通信部１７０を通じて指定されたアクセスポイント（ＡＰ）に接続して、ネットワークに接続する。
【００６０】
制御部１１０は通信部１７０を通じてのネットワーク接続に成功したとき、サーバ３に接続してサーバ３に洗濯機情報を転送する。この際、制御部１１０は端末２によってサーバ３に登録され、洗濯機のモデル情報などの固有情報に基づいてサーバ３に接続することができる。また、制御部１１０は通信部１７０を通じてのネットワーク接続に成功したとき、タグ部１４０を通じての接触なしで通信部１７０を通じて端末２に洗濯機の情報を転送することができる。
【００６１】
図５は、本発明の一実施形態に従う端末の構成を示すブロック図である。
【００６２】
端末２は、折りたたみタイプ、バータイプ、スイングタイプ、スライダタイプなどのいろいろなタイプの携帯端末機であって、ＮＦＣ機能が搭載された携帯端末機が使用できる。端末２は、このような携帯端末機のうち、前面タッチスクリーンが備えられているバータイプの携帯端末機のものを例として説明する。図５を参照すると、端末２は、通信部２３０、記憶部２２０、表示部２４０、入力部２６０、スピーカ２５０、そして端末の動作の全般を制御する端末制御部２１０を含む。
【００６３】
記憶部２２０は、端末の動作制御のための制御データ、端末の動作状態に対する動作データ、特定の機能を遂行するための複数のアプリケーションデータ、ユーザによって入力されるデータが記憶される。
【００６４】
表示部２４０は、端末制御部２１０の制御命令によって端末の動作状態、又は通信部を通じて受信される洗濯機のデータを画面に表示する。
【００６５】
表示部２４０は情報を視覚的に表示する手段であって、例えば、液晶ディスプレイ、薄膜トランジスタ液晶ディスプレイ、有機発光ダイオード、フレキシブルディスプレイ、３次元ディスプレイのうち、少なくとも１つを含むこともできる。この際、端末の具現形態によって、表示部２４０は２つ以上存在することもできる。例えば、端末に外部ディスプレイ部（図示せず）及び内部ディスプレイ部（図示せず）を同時に備えることができる。
【００６６】
また、表示部２４０はタッチパッドが階層構造で重畳されることによって、タッチスクリーンとして動作してユーザのタッチによる情報の入力が可能であるように、入力部２６０として機能することができる。
【００６７】
入力部２６０は、少なくとも１つのボタン又はスイッチを含み、別途のタッチパッドを含んで、通話、マウスポイント移動又は画面スクロール、開始、終了などの命令を入力することができる。
【００６８】
スピーカ２５０は、受話器又はスピーカの形態で具現できる。また、カメラ（図示せず）は、ユーザなどに対するイメージ又は動画像を撮影することに適切な形態に具現できる。マイク（図示せず）は、ユーザの音声、その他の音などの入力を受けることに適切な形態に具現できる。
【００６９】
通信部２３０は、洗濯機１のタグ部１４０と接触してデータを送受信するタグ通信モジュール２３２と、所定のネットワーク接続を通じてサーバ３とデータを送受信するインターネットモジュール２３４とを含む。また、通信部２３０は移動通信ネットワークに接続してデータを送受信する移動通信モジュール（図示せず）を含むことができる。
【００７０】
端末制御部２１０は、入力部２６０を通じて入力されるデータに対応するアプリケーションを実行して端末が特定の動作を遂行するように制御する。端末制御部２１０は、入力部２６０又は通信部２３０を通じて入力されるデータを記憶部２２０に記憶し、表示部２４０又はスピーカ２５０を通じて出力されるようにする。
【００７１】
端末制御部２１０は、通信部２３０のタグ通信モジュール２３２を通じて受信される洗濯機のデータを表示部２４０を介して画面に表示し、記憶部２２０に記憶する。特に端末制御部２１０は、洗濯機１のモデル情報及び固有情報をＩＤに照合して通信部のインターネットモジュール２３４を通じて接続されるサーバ３に登録する。端末制御部２１０はサーバ３の応答に対応して、洗濯機が正常登録された場合、照合されたＩＤを用いて洗濯機を遠隔制御し監視する。
【００７２】
また、端末制御部２１０は入力部２６０を通じて入力されるデータに対応して洗濯機１に対するネットワーク接続情報を設定し、タグ通信モジュール２３２を通じて洗濯機１のタグ接触時に、ネットワーク接続情報を洗濯機１のタグ部１４０に記録する。
【００７３】
この際、端末制御部２１０は無線通信設定時、接続可能なＡＰを探索し、選択されたＡＰに対する情報及びそれに対するパスワード、セキュリティ設定を含むネットワーク接続情報を設定して洗濯機に転送する。
【００７４】
このようにして、洗濯機１はタグ部１４０を通じて受信されるネットワーク接続情報を記憶し、選択されたＡＰに接続してネットワークに接続される。
【００７５】
この際、端末制御部２１０は、洗濯機１がネットワーク接続が不可能なモデルの場合は、サーバ３の登録時に、予め登録された洗濯機の場合は、洗濯機情報にエラーがあるとき、表示部２４０にエラーを表示することができる。
【００７６】
図６から図１０は、本発明の一実施形態に従う端末と洗濯機との通信方法を説明する端末画面の例示図である。
【００７７】
図６は、端末の洗濯機制御のためのアプリケーション実行時に、表示部２４０に出力されるメニュー画面に対する例示図である。
【００７８】
図６の（ａ）に示すように、洗濯機制御のためのアプリケーション実行時に、洗濯機１のタグ部１４０の接触による洗濯機の制御、洗濯機情報表示、洗濯機設定、洗濯機に対する診断を実施するメニューが各々所定のアイコンで表示される。
【００７９】
所定のアイコンが選択されたとき、選択されたアイコンに対する機能を説明する案内文が表示され、場合によっては機能を暗示するイメージが表示できる。例えば、タグオンメニューが選択される場合、表示部２４０にはタグオンサブメニューと共に、洗濯機タグ部１４０の接触を通じてのデータ送受信方法に対するガイドを表示できる。
【００８０】
端末制御部２１０はアプリケーション実行時に、ＩＤの入力を受けて通信部を通じてサーバ３に接続し、アプリケーションの最初の実行の場合には、新たなＩＤを登録する。
【００８１】
端末制御部２１０はＩＤに登録された洗濯機が存在しない場合、すなわち新たな洗濯機の登録が必要な場合、図６の（ｂ）に示すように、洗濯機に対する製品登録メニューを画面に表示して洗濯機が登録されるようにする。この際、端末制御部２１０はＩＤに洗濯機情報を照合してサーバ３に洗濯機を登録する。
【００８２】
画面に表示される製品登録メニューのうち、ＮＦＣ簡易登録がタッチ又はボタン入力によって選択されたとき、端末制御部２１０はタグ通信モジュール２３２を通じて洗濯機の情報を受信して洗濯機を登録すると共に、洗濯機１がネットワークに接続可能であるように設定する。
【００８３】
端末制御部２１０は、ネットワーク接続情報を設定してタグ通信モジュール２３２を通じて洗濯機１のタグ部１４０に転送することによって、洗濯機がネットワーク接続可能にし、タグ部１４０から受信された洗濯機情報をＩＤに照合してサーバ３に洗濯機を登録する。このように洗濯機が登録されたとき、次のアプリケーション実行時に、サーバ３から受信されるデータによって、自動的にＩＤに対応する洗濯機の情報を表示することができる。ただし、洗濯機がネットワーク接続可能なモデルである場合に限定される。
【００８４】
図７は、図６のＮＦＣ簡易登録方法を説明するための例示図である。
【００８５】
ＮＦＣ簡易登録が選択されたとき、端末制御部２１０は無線接続が可能なＡＰを探索して図７の（ａ）に示すように、接続可能なＡＰリストを画面に出力する。
【００８６】
ＡＰリストのうちのいずれか１つが選択されたとき、図７の（ｂ）に示すように選択されたＡＰに対するパスワード入力画面に表示される。
【００８７】
この際、選択されたＡＰに対する保安設定情報及び信号強度に対する情報が表示され、パスワード入力ウィンドウが表示される。パスワード入力ウィンドウが選択されたとき、文字又は数字入力が可能なキー入力メニューが画面のある一領域に表示される。
【００８８】
パスワード入力が完了して接続キーが選択されたとき、図７の（ｃ）に示すように端末２を洗濯機１のタグ部１４０に接触するように案内するメッセージが画面に表示される。
【００８９】
この際、タグオン情報、すなわち洗濯機のタグ部の位置又はタグ部に接触する方法に対するガイドがメッセージ又は画像で表示される。
【００９０】
端末２が洗濯機１のタグ部１４０に所定距離以内に近接するか、又は接触したとき、端末２のタグ通信モジュール２３２と洗濯機１タグ部１４０の送受信部とが相互認識してデータが送受信される。
【００９１】
端末２の表示部２４０には図７の（ｄ）に示すように接続状態を表す案内メッセージが表示され、相互データを送受信する場合、図７の（ｅ）のように製品登録に従う進行状態が表示される。
【００９２】
端末２のタグ通信モジュール２３２がネットワーク接続情報を洗濯機１のタグ部に記憶し、タグ部に記憶された洗濯機の情報を受信したとき、端末制御部２１０はＩＤと洗濯機の情報とを照合してインターネットモジュール２３４を通じてサーバ３に洗濯機を登録する。この際、洗濯機の制御部１１０はタグ部１４０を通じて受信されたネットワーク接続情報を洗濯機の通信部１７０に印加してネットワーク接続を設定する。
【００９３】
製品登録が完了したとき、図７の（ｆ）に示すように製品登録完了に従う案内メッセージが画面に表示される。案内に従って洗濯機１の電源を切断した後、再起動されたとき、洗濯機１は端末２によって転送されたネットワーク接続情報によって特定ＡＰに接続してネットワークに接続される。ネットワーク接続時、洗濯機１の表示部にはネットワーク接続状態がイメージ又はアイコンで表示される。
【００９４】
図８は、洗濯機のネットワーク接続情報を変更する方法を説明するためのメニュー画面の例示図である。
【００９５】
引越し又はネットワーク変更によって接続可能なＡＰが変更される場合、洗濯機は予め登録されたＡＰに対してだけ接続可能であるため、ネットワーク接続不能状態となる。洗濯機がネットワークに接続されない場合、ネットワークを用いた洗濯機情報受信が不可能になるため、端末２のタグ通信モジュール２３２を通じて洗濯機のネットワーク接続情報を再設定することができる。
【００９６】
図８の（ａ）に示すように、アプリケーションのメニュー項目のうち、設定メニューを選択したとき、アプリケーションの設定だけでなく、登録された製品の情報、すなわち洗濯機の情報を変更することができる。
【００９７】
製品登録設定を変更するように選択したときは、図８の（ｂ）に示すように、製品登録メニューが画面に表示される。
【００９８】
この際、ＮＦＣ製品登録が選択されたとき、図７で前述したように、周辺の接続可能なＡＰを探索してリストを出力し、そのうちから選択されたＡＰに対する認証情報が入力されたとき、接続情報を設定して洗濯機１のタグ部１４０の接触を通じて新たなネットワーク接続情報を洗濯機１に設定することができる。
【００９９】
洗濯機１の制御部１１０は、タグ部１４０に新しく記憶されたネットワーク接続情報を通信部１７０に適用してネットワークに接続する。
【０１００】
図９及び図１０は、製品登録時のエラー画面を示す例示図である。
【０１０１】
前述したように、初期製品登録又は予め登録された製品に対して設定を変更する場合、図９の（ａ）に示すように製品登録メニューが端末２の表示部に出力される。
【０１０２】
この際、ＮＦＣ簡易登録が選択されたとき、端末２にタグ通信モジュール２３２が備えられていない場合には、図９の（ｂ）に示すようにエラーメッセージが画面に表示される。
【０１０３】
また、端末２にタグ通信モジュールが備えられているが、動作しない場合、図９の（ｃ）に示すようにタグ通信モジュールを用いた通信を起動するように案内するメッセージが表示される。この際、‘はい’を選択すれば、タグ通信モジュールを用いたＮＦＣ通信に対する設定メニューに移動する。
【０１０４】
一方、製品登録過程で接続情報に異常がある場合、図１０の（ａ）に示すように、接続失敗に従うエラーメッセージが表示される。選択されたＡＰに対する接続パスワードが一致しない場合、信号の強さが一定値未満であってデータ送受信に問題がある場合、エラーが表示できる。確認ボタンを選択したとき、ＡＰリストが画面に表示されて他のＡＰを選択するようにする。
【０１０５】
一方、リストに表示されないＡＰに接続する場合、図１０の（ｂ）に示すようにネットワーク接続情報を追加することができる。
【０１０６】
この際、新たなネットワーク接続のために、ＡＰ名、セキュリティ方式、及びパスワードを入力して新たなネットワーク情報を追加することができる。
【０１０７】
図１１は、本発明に従う洗濯機、端末、サーバの間のデータの流れが図示されたフローチャートである。
【０１０８】
図１１を参照すると、端末２は洗濯機の制御のためのアプリケーションを実行したとき、制御する対象である製品情報を登録する。この際、端末制御部２１０はＮＦＣ簡易登録機能を通じて洗濯機を登録すると共に、洗濯機がネットワーク接続可能であるように接続情報を設定する（Ｓ１）。
【０１０９】
一方、洗濯機１は備えられたタグ部１４０の状態を確認し、タグ部１４０に洗濯機の固有情報、例えばモデル情報を記憶する（Ｓ３）。また、洗濯機１は洗濯機の動作状態に対する情報、異常発生時の診断情報をタグ部に記憶することができる。
【０１１０】
端末２が簡易登録を遂行する場合、接続情報設定が完了したとき、洗濯機１のタグ部１４０に接触するように案内が端末２の表示部に表示され、それによって端末２がタグ部１４０に接触したとき（Ｓ２）、端末２のタグ通信モジュール２３２はタグ部１４０の状態を確認してタグ部１４０に予め記憶された洗濯機の情報、例えばモデル情報を受信し、予め設定された接続情報をタグ部１４０に記憶する。この際、一回の接触によって端末２の洗濯機情報を受信すると共に、接続情報をタグ部に転送する。
【０１１１】
一方、洗濯機１の制御部１１０は端末２のタグ部１４０の接続が終了したときは、これを確認してタグ部１４０に記憶された接続情報を受信して洗濯機の通信部１７０に印加する（Ｓ４）。
【０１１２】
この際、洗濯機１はユーザ入力によって電源終了後、再起動する。場合によって、再起動無しで直ちにネットワークに接続できる。
【０１１３】
再起動後、洗濯機の通信部１７０は設定された接続情報に従って特定ＡＰに接続してネットワークに接続される。制御部１１０は通信部１７０を通じてネットワークに正常接続されたか否かを確認して（Ｓ５）、正常接続された場合、接続状態を表示部１３０に表示し（Ｓ６）、接続に異常がある場合、表示部１３０にエラーを表示する（Ｓ７）。
【０１１４】
一方、端末２は洗濯機から受信された洗濯機情報をＩＤに照合してサーバ３に転送する（Ｓ８）。この際、端末によるサーバ登録は洗濯機のネットワーク接続の前に遂行できる。
【０１１５】
サーバ３は、受信された情報に従って、洗濯機をデータベースに登録し、それに対する応答を端末２に転送する（Ｓ９）。
【０１１６】
また、洗濯機１はネットワークに正常接続されたとき、サーバ３に接続してサーバに洗濯機のデータを転送する（Ｓ１０）。
【０１１７】
端末２は、アプリケーション実行時、ＩＤに対応する洗濯機の情報を表示する。洗濯機１がネットワークに接続されたとき、端末２はネットワークを介して洗濯機からデータを受信し、又はサーバに記憶された洗濯機の情報を受信して表示することができる。
【０１１８】
それによって、端末２は洗濯機１を遠隔で監視し、制御するようになる。
【０１１９】
図１２は、本発明の端末の動作方法が図示されたフローチャートである。
【０１２０】
図１２に示すように、端末２は製品登録メニューから簡易登録が選択されたとき（Ｓ３１０）、ＩＤに洗濯機を照合すると共に、洗濯機がネットワークに接続できるように設定する。
【０１２１】
端末制御部２１０は、接続可能なＡＰリストを探索して表示し、選択されたＡＰに対する情報の入力を受けてネットワーク接続情報を設定する（Ｓ３２０）。ＡＰに正常接続されない場合にはエラーを表示し、ＡＰを再設定するようにメニューが表示される。
【０１２２】
ネットワーク接続情報に従って選択されたＡＰに正常に接続されたとき（Ｓ３３０）、タグ案内が表示部２４０の画面に表示される（Ｓ３４０）。この際、案内メッセージのようにタグ方法、すなわち洗濯機のタグ部位置を含む、タグ部に接触する方法に対する案内がメッセージ又は画像で表示される。
【０１２３】
端末２が洗濯機１のタグ部１４０に所定距離以内に近接するように位置するか、又はタグ部に接触したとき、端末２のタグ通信モジュールとタグ部１４０の送受信部とを相互認識してデータを送受信する（Ｓ３５０）。
【０１２４】
この際、端末制御部２１０は端末又は洗濯機がＮＦＣ機能をサポートするか否かを各々チェックし、また洗濯機のネットワーク接続の可否を確認する（Ｓ３６０）。端末又は洗濯機のうちの少なくとも１つがＮＦＣ機能をサポートしない場合にはエラーを出力し（Ｓ４２０）、登録を中止する。
【０１２５】
タグ通信モジュール２３２は、タグ部１４０に記憶された洗濯機の情報を受信して分析し、予め設定された接続情報をタグ部１４０に転送してタグ部１４０に記憶されるようにする（Ｓ３７０）。端末制御部２１０は、タグ通信モジュール２３２を通じて受信されたデータに対するエラーをチェックし（Ｓ３８０）、データが正常であれば、タグ部１４０のフラグを設定した後（Ｓ３９０）、接続を終了して通信を完了する（Ｓ４００）。
【０１２６】
この際、端末２は一回の接触（Ａ）によって短時間内に洗濯機の情報を受信すると共に、ネットワーク接続情報を洗濯機のタグ部に記憶する。
【０１２７】
表示部２４０に通信完了に対する案内を出力し、受信された洗濯機の情報及びＩＤを照合してサーバ３に洗濯機を登録する（Ｓ４１０）。
【０１２８】
この際、サーバ３は洗濯機が異なるＩＤで予め登録されているか否かを確認し、洗濯機をデータベースに登録した後、端末２に登録完了に従う応答を転送する。
【０１２９】
以後、端末２は洗濯機がネットワークに接続したとき、ネットワークを介して洗濯機のデータを受信し、またサーバに記憶されたデータを受信して洗濯機を遠隔で監視又は制御することができる。
【０１３０】
図１３は、本発明の洗濯機の制御方法が図示されたフローチャートである。
【０１３１】
洗濯機１の制御部１１０の初期駆動時に、タグ部１４０に洗濯機情報を記憶する。制御部１１０は、備えられるタグ部１４０の状態を確認して（Ｓ４５０）、使用可能な状態か否かを判断する（Ｓ４６０）。
【０１３２】
この際、端末２がタグ部１４０に接触した場合には、フラグ設定によって待機し、端末との通信が完了した後にはフラグ設定が変更されてタグ部が使用可能な状態となる。
【０１３３】
制御部１１０はタグ部に新たなデータが記憶されたか否かを確認し（Ｓ４７０）、新たなデータが存在する場合、タグ部１４０の記憶部からデータを受信する（Ｓ４８０）。また、制御部１１０は洗濯機の動作情報又は異常発生時の故障情報をタグ部に記憶することができる。この際、制御部１１０はデータフラグを再設定してデータを確認したことを表示するか、又は新たなデータを記録したことを表示することができる（Ｓ４９０）。
【０１３４】
制御部１１０は端末によって記録された新たなデータがネットワーク接続情報か否かを確認し（Ｓ５００）、データがネットワーク接続情報の場合、通信部１７０にネットワーク接続情報を印加して通信部１７０のネットワーク接続を設定する（Ｓ５１０）。制御部１１０は、タグ部のフラグを変更して端末が接触可能な状態になるようにする（Ｓ５２０）。
【０１３５】
通信部１７０は、ネットワーク接続情報に従って特定ＡＰに接続してネットワークに接続される（Ｓ５３０）。ネットワークに正常接続されたとき（Ｓ５４０）、制御部１１０は接続状態を表示部１４０に表示する（Ｓ５６０）。制御部１１０は通信部１７０を通じてサーバ３に接続して（Ｓ５７０）、洗濯機データを転送し、端末２と通信して端末の要求によって洗濯機動作を変更するか、又は洗濯機状態情報を端末に転送する。
【０１３６】
一方、ネットワークに正常に接続されない場合、制御部１１０はエラーを表示する（Ｓ５５０）。この場合、端末２を通じて新たなネットワーク接続情報をタグ部を通じて受信して再設定することができる。
【０１３７】
この際、登録されたネットワーク接続情報は洗濯機再起動時に適用されるが、場合によって再起動無しで直ちに適用してネットワークに接続することもできる。
【０１３８】
一方、新たなデータがネットワーク接続情報でない場合、制御部１１０はタグ状態を変更し（Ｓ５８０）、受信されたデータを分析してデータによって洗濯機設定を変更するか、動作を制御し、又はコース情報又は洗濯機制御データを更新する（Ｓ５９０）。
【０１３９】
このようにして、洗濯機は端末との近距離通信を通じて端末及びサーバに製品が登録されると共に、ネットワークに接続可能になる。洗濯機にネットワーク接続のための入力キー又は接続プログラム無しで容易にネットワーク接続が可能であり、必要によってネットワーク接続情報を変更することができる。それによって、洗濯機はネットワークに接続して遠隔で端末又はサーバを通じて遠隔制御及び監視が可能になる。
【０１４０】
以上、本発明を例示の図面を参照しつつ説明したが、本明細書に開示された実施形態及び図面によって本発明は限定されず、技術思想が保護される範囲以内で応用できる。
【図１】
2014200692.tif 000003
【図２】
2014200692.tif 000004
【図３】
2014200692.tif 000005
【図４】
2014200692.tif 000006
【図５】
2014200692.tif 000007
【図６】
2014200692.tif 000008
【図７】
2014200692.tif 000009
【図８】
2014200692.tif 000010
【図９】
2014200692.tif 000011
【図１０】
2014200692.tif 000012
【図１１】
2014200692.tif 000013
【図１２】
2014200692.tif 000014
【図１３】
2014200692.tif 000015